(57)【特許請求の範囲】
【請求項１】
端末装置と、前記端末装置に第１の通信ネットワークを介して接続されるシステム運営者サーバと、前記システム運営者サーバに第２の通信ネットワークを介して接続されるコンテンツ提供サーバとを備える閲覧登録システムであって、
前記端末装置は、
前記コンテンツ提供サーバにより提供されるコンテンツの閲覧登録を要求する登録要求及び前記端末装置の利用者に関する利用者情報を、前記システム運営者サーバを介して前記コンテンツ提供サーバへ送信する登録要求送信手段と、
前記閲覧登録の解除を要求する解除要求を、前記システム運営者サーバを介して前記コンテンツ提供サーバへ送信する解除要求送信手段とを備え、
前記システム運営者サーバは、
前記登録要求を受信した前記コンテンツ提供サーバから前記利用者情報を記憶した旨の通知を受けると、前記コンテンツ提供サーバに対する課金を行う課金手段と、
前記解除要求を受信した前記コンテンツ提供サーバから前記利用者情報を削除した旨の通知を受けると、前記コンテンツ提供サーバに対する課金を停止する課金停止手段とを備えることを特徴とする閲覧登録システム。
【請求項２】
前記システム運営者サーバは、
前記端末装置にて前記コンテンツ提供サーバにより提供されるコンテンツを簡易操作により閲覧可能にするために、前記コンテンツ提供サーバに接続するための接続命令を含む接続指示画面情報を提供する接続指示画面情報提供手段と、
前記端末装置からの前記登録要求に応じて、当該登録要求に係る前記コンテンツ提供サーバに接続するための接続命令を前記接続指示画面情報に追加する接続命令追加手段と、
前記端末装置からの前記解除要求に応じて、当該解除要求に係る前記コンテンツ提供サーバが当該端末装置の利用者情報を削除したときに、前記接続指示画面情報から当該コンテンツ提供サーバに接続するための接続命令を削除する接続命令削除手段と、
を備えることを特徴とする請求項１に記載の閲覧登録システム。
【請求項３】
前記閲覧登録及びその解除は、前記端末装置を利用する利用者ごとに個別に管理されることを特徴とする請求項１又は２に記載の閲覧登録システム。
【請求項４】
第１の通信ネットワークを介して端末装置に接続されるとともに、第２の通信ネットワークを介してコンテンツ提供サーバに接続されるシステム運営者サーバであって、
前記コンテンツ提供サーバにより提供されるコンテンツの閲覧登録を要求する登録要求及び前記端末装置の利用者に関する利用者情報を前記端末装置から受信して、前記利用者情報を前記登録要求に係る前記コンテンツ提供サーバに送信する登録要求送受信手段と、
前記登録要求を受信した前記コンテンツ提供サーバから前記利用者情報を記憶した旨の通知を受けると、前記コンテンツ提供サーバに対する課金を行う課金手段と、
前記閲覧登録の解除を要求する解除要求を前記端末装置から受信して、前記解除要求に係る前記コンテンツ提供サーバに送信する解除要求送受信手段と、
前記解除要求を受信した前記コンテンツ提供サーバから前記利用者情報を削除した旨の通知を受けると、前記コンテンツ提供サーバに対する課金を停止する課金停止手段と、
を備えることを特徴とするシステム運営者サーバ。
【請求項５】
第１の通信ネットワークを介して端末装置に接続されるシステム運営者サーバと第２の通信ネットワークを介して接続されるコンテンツ提供サーバであって、
前記コンテンツ提供サーバにより提供されるコンテンツの閲覧登録を要求する登録要求及び前記端末装置の利用者に関する利用者情報を、前記システム運営者サーバを介して前記端末装置から受信する登録要求受信手段と、
前記登録要求に基づいて前記利用者情報を記憶する記憶手段と、
前記利用者情報を記憶した旨を前記システム運営者サーバに通知し、前記システム運営者サーバにより課金対象として登録を受ける記憶通知手段と、
前記閲覧登録の解除を要求する解除要求を、前記システム運営者サーバを介して前記端末装置から受信する解除要求受信手段と、
前記解除要求に基づいて前記利用者情報を削除する削除手段と、
前記利用者情報を削除した旨を前記システム運営者サーバに通知し、前記システム運営者サーバにより前記課金対象としての登録の解除を受ける削除通知手段と、
を備えることを特徴とするコンテンツ提供サーバ。
【発明の詳細な説明】
【技術分野】
【０００１】
本発明は、端末装置とシステム運営者サーバとコンテンツ提供サーバとで構成され、端末装置にてコンテンツ提供サーバが提供するコンテンツを閲覧するための閲覧登録システムに関し、特に、端末装置の利用者からの登録解除のための技術に関する。
【背景技術】
【０００２】
近年、Ｗｅｂページを閲覧する端末として、タッチパネルによる直感的な操作インターフェースを備えたタブレット端末などが普及し、高齢者など普段デジタル機器を使い慣れない利用者であっても、簡易な操作で、Ｗｅｂページを閲覧するとともに、Ｗｅｂページを経由した商品／サービスの申込を行えるようになってきている。
【０００３】
しかしながら、このようなＷｅｂページを経由した商品／サービスの申込では、Ｗｅｂサイトに利用者の個人情報を提供する必要があるところ、商品／サービスの申込の都度、個人情報を入力することはわずらわしく、また、悪意のサイトに個人情報を提供してしまうおそれもある。そこで、予めＷｅｂサイトに個人情報を登録することで、以後はその都度個人情報の入力を行わなくてもよい仕組みが提案されている（例えば、特許文献１参照）。
【先行技術文献】
【特許文献】
【０００４】
【特許文献１】特開２００２−３４２１９９号公報
【発明の概要】
【発明が解決しようとする課題】
【０００５】
しかしながら、利用者がＷｅｂサイトに個人情報を登録した後に、その利用者がＷｅｂサイトのサービスの利用停止（登録解除）を申請したとしても、Ｗｅｂサイトに預けた利用者の個人情報が消去されたか否かを利用者が確認することはできず、また、そのＷｅｂサイトにおける登録の削除を促す仕組みがなかった。
【０００６】
本発明は、上記の課題に鑑みてなされたもので、利用者がＷｅｂサイトに個人情報を登録した後において、利用者がその登録を解除する際に、Ｗｅｂサイトにおける当該利用者の個人情報の削除を促すことができる閲覧登録システムを提供することを目的とする。また、本発明は、自己の個人情報がそのＷｅｂサイトにおいて削除されたことを利用者が確認できる閲覧登録システムを提供することを目的とする。
【課題を解決するための手段】
【０００７】
本発明の閲覧登録システムは、端末装置と、前記端末装置に第１の通信ネットワークを介して接続されるシステム運営者サーバと、前記システム運営者サーバに第２の通信ネットワークを介して接続されるコンテンツ提供サーバとを備える閲覧登録システムであって、前記端末装置は、前記コンテンツ提供サーバにより提供されるコンテンツの閲覧登録を要求する登録要求及び前記端末装置の利用者に関する利用者情報を、前記システム運営者サーバを介して前記コンテンツ提供サーバへ送信する登録要求送信手段と、前記閲覧登録の解除を要求する解除要求を、前記システム運営者サーバを介して前記コンテンツ提供サーバへ送信する解除要求送信手段とを備え、前記システム運営者サーバは、前記登録要求に基づいて閲覧登録がされた前記コンテンツ提供サーバについて、課金を行う課金手段と、前記解除要求に基づいて前記利用者情報を削除した前記コンテンツ提供サーバについて、課金を停止する課金停止手段とを備える。
【０００８】
この構成により、閲覧登録を受けて利用者情報を取得しているコンテンツ提供サーバは、課金されるとともに、解除要求を受けたときに、利用者情報を削除することによって課金が停止されるので、利用者情報の削除を促すことができる。
【０００９】
上記の閲覧登録システムにおいて、前記システム運営者サーバは、前記端末装置にて前記コンテンツ提供サーバにより提供されるコンテンツを簡易操作により閲覧可能にするために、前記コンテンツ提供サーバに接続するための接続命令を含む接続指示画面情報を提供する接続指示画面情報提供手段と、前記端末装置からの前記登録要求に応じて、当該登録要求に係る前記コンテンツ提供サーバに接続するための接続命令を前記接続指示画面情報に追加する接続命令追加手段と、前記端末装置からの前記解除要求に応じて、当該解除要求に係る前記コンテンツ提供サーバが当該端末装置の利用者情報を削除したときに、前記接続指示画面情報から当該コンテンツ提供サーバに接続するための接続命令を削除する接続命令削除手段とを備えていてよい。
【００１０】
この構成により、端末装置においてコンテンツ提供サーバにより提供されるコンテンツの簡易操作による閲覧は、コンテンツ提供サーバに接続するための接続命令を含む接続指示画面情報によって実現され、端末装置から解除要求をした場合には、コンテンツ提供サーバが当該端末装置の利用者情報を削除したときに、接続指示画面情報から当該コンテンツ提供サーバに接続するための接続命令が削除されるので、端末装置では、解除要求に応じてコンテンツ提供サーバが閲覧登録の解除及び利用者情報の削除をしたか否かを確認することができる。コンテンツ提供サーバにおいて端末装置からの解除要求に応じて利用者情報の削除が行われない場合には、当該端末装置に提供される接続指示画面情報において当該コンテンツ提供サーバへの接続命令が削除されないので、端末装置において、コンテンツ提供サーバにて自己の利用者情報が削除されていないことを知ることができ、このことが、コンテンツ提供サーバにおいて利用者情報の削除を促すことになる。
【００１１】
また、上記の閲覧登録システムにおいて、前記閲覧登録及びその解除は、前記端末装置を利用する利用者ごとに個別に管理されてよい。
【００１２】
この構成により、一の端末装置について複数の利用者がいる場合に、上記の閲覧登録及びその解除は、利用者ごとに個別に行われる。
【００１３】
本発明の別の態様は、第１の通信ネットワークを介して端末装置に接続されるとともに、第２の通信ネットワークを介してコンテンツ提供サーバに接続されるシステム運営者サーバであって、前記コンテンツ提供サーバにより提供されるコンテンツの閲覧登録を要求する登録要求及び前記端末装置の利用者に関する利用者情報を前記端末装置から受信して、前記利用者情報を前記登録要求に係る前記コンテンツ提供サーバに送信する登録要求送受信手段と、前記登録要求に基づいて閲覧登録がされた前記コンテンツ提供サーバについて、課金を行う課金手段と、前記閲覧登録の解除を要求する解除要求を前記端末装置から受信して、前記解除要求に係る前記コンテンツ提供サーバに送信する解除要求送受信手段と、前記解除要求に基づいて前記利用者情報を削除した前記コンテンツ提供サーバについて、課金を停止する課金停止手段とを備える。
【００１４】
この構成によっても、閲覧登録を受けて利用者情報を取得しているコンテンツ提供サーバは、課金されるとともに、解除要求を受けたときに、利用者情報を削除することによって課金が停止されるので、利用者情報の削除を促すことができる。
【００１５】
本発明のさらに別の態様は、第１の通信ネットワークを介して端末装置に接続されるシステム運営者サーバと第２の通信ネットワークを介して接続されるコンテンツ提供サーバにおける閲覧登録方法であって、前記コンテンツ提供サーバにより提供されるコンテンツの閲覧登録を要求する登録要求及び前記端末装置の利用者に関する利用者情報を前記システム運営者サーバを介して前記端末装置から受信するステップと、前記登録要求に基づいて閲覧登録を行なったときに前記システム運営者サーバにより課金対象として登録を受けるステップと、前記閲覧登録の解除を要求する解除要求を、前記システム運営者サーバを介して前記端末装置から受信するステップと、前記解除要求に基づいて前記利用者情報を削除したときに前記システム運営者サーバにより前記課金対象としての登録の解除を受けるステップとを含む。
【００１６】
この構成によっても、閲覧登録を受けて利用者情報を取得しているコンテンツ提供サーバは、課金されるとともに、解除要求を受けたときに、利用者情報を削除することによって課金が停止されるので、利用者情報の削除を促すことができる。
【発明の効果】
【００１７】
本発明によれば、閲覧登録を受けて利用者情報を取得しているコンテンツ提供サーバは、課金されるとともに、解除要求を受けたときに、利用者情報を削除することによって課金が停止されるので、利用者情報の削除を促すことができる。
【図面の簡単な説明】
【００１８】
【図１】本発明の実施の形態における閲覧登録システムの構成を説明する図
【図２】本発明の実施の形態における端末装置の構成を示すブロック図
【図３】本発明の実施の形態におけるシステム運営者サーバの構成を示すブロック図
【図４】本発明の実施の形態におけるコンテンツ提供サーバの構成を示すブロック図
【図５】本発明の実施の形態における端末装置のメイン画面の表示例を示す図
【図６】本発明の実施の形態における端末装置のＷｅｂ閲覧トップ画面の表示例を示す図
【図７】本発明の実施の形態における端末装置の解除指示画面の表示例を示す図
【図８】本発明の実施の形態の閲覧登録システムにおける閲覧登録処理の流れを説明するシーケンス図
【図９】本発明の実施の形態の閲覧登録システムにおける登録解除処理の流れを説明するシーケンス図
【発明を実施するための形態】
【００１９】
以下、本発明の実施の形態の閲覧登録システムについて、図面を用いて説明する。本実施の形態では、デジタル機器を使い慣れない利用者（例えば高齢者など）のための閲覧登録システム等に用いられる場合を例示する。
【００２０】
本発明の実施の形態の閲覧登録システムの構成を、図面を参照して説明する。図１は、本実施の形態の閲覧登録システムの構成を示す図である。図１に示すように、閲覧登録システム１は、端末装置２とシステム運営者サーバ３と提携企業サーバ４とで構成される。なお、図１では、説明の便宜上、端末装置２が１台だけ図示されているが、端末装置２の台数は、２台以上であってよい。同様に、図１では、提携企業サーバ４が２台だけ図示されているが、提携企業サーバ４の台数は、１台でもよく、３台以上であってもよい。
【００２１】
端末装置２は、警備対象である顧客の住宅等に設置されて警備の設定・管理等を行うとともに、Ｗｅｂ閲覧（Ｗｅｂページのコンテンツ表示）を行うこともできる警備システム用のコントローラである。システム運営者は、警備システムとＷｅｂ閲覧システム（閲覧登録システム１）を運営する者であり、システム運営者サーバ３は、システム運営者によって管理運営されるサーバである。提携企業サーバ４は、システム運営者と提携関係にある企業（提携企業）によって管理運営されるサーバであり、それらの提携企業の中には、端末装置２やそれを用いたサービス契約（例えば、本実施の形態では、警備サービスの契約）の受注代行や受注仲介などの販売支援を行う販売支援業者も含まれている。
【００２２】
システム運営者サーバ３と端末装置２とは、第１のセキュア通信ネットワーク５によって接続されている。例えば、第１のセキュア通信ネットワーク５は、インターネットであり、システム運営者サーバ３と端末装置２とは、インターネットを介してｈｔｔｐｓ（Hypertext Transfer Protocol over Secure Socket Layer）による暗号化通信を行う。システム運営者サーバ３と提携企業サーバ４とは、第２のセキュア通信ネットワーク６によって接続されている。例えば、システム運営者サーバ３と提携企業サーバ４とは、第２のセキュア通信ネットワーク６を介してＶＰＮ（Virtual Private Network）による暗号化通信を行う。
【００２３】
図２は、端末装置２の構成を示すブロック図である。図２に示すように、端末装置２は、システム運営者サーバ３との通信（ｈｔｔｐｓによる暗号化通信）を行うための通信部２１と、警備設定画面やＷｅｂページ画面などを表示するための表示部２２１と、利用者（端末装置２のユーザ）が様々な入力操作を行うための入力部２２２を備えている。表示部２２１は液晶パネルであってよく、入力部２２２はタッチセンサであってよく、図２に示すように、タッチセンサと液晶パネルとが組み合わせされてタッチパネル２２が構成されてもよい。また、入力部２２２は、ＩＣカードリーダを備えており、利用者が挿入するＩＣカードの情報を読み取って、操作する利用者を識別する。
【００２４】
端末装置２は、警備対象箇所に備えられたカメラや各種センサ等の警備用機器と有線又は無線で接続され、警備用機器から画像、センサ検出値を受けてこれを表示部２２１に表示する機能を備えている。また、端末装置２は、入力部２２２からのユーザの入力に応じて、各種の警備の設定を行う機能や、コントロールセンタに、ユーザの帰宅や警備の設定等の入力情報を送信する機能、警備用機器のセンサ検出値を送信する等の機能を備えている。さらに、端末装置２は、提携企業サーバ４から提供されるＷｅｂコンテンツを表示（Ｗｅｂページを閲覧）する機能を備えている。
【００２５】
端末装置２は、提携企業サーバ４から提供されるＷｅｂコンテンツを簡易操作により閲覧可能にするための閲覧登録をする機能及びその閲覧登録を解除する機能を有しており、閲覧登録及びその解除に関連する構成として通信制御部２３を備えている。通信制御部２３は、閲覧登録を要求する登録要求を送信する登録要求送信部２３１と、端末装置２の識別情報を送信する識別情報送信部２３２と、端末装置２の利用者が情報入力画面（後述する）において入力した利用者情報（例えば、住所やクレジットカード番号などの個人情報）を送信する利用者情報送信部２３３と、閲覧登録の解除を要求する解除要求を送信する解除要求送信部２３４とを備えている。
【００２６】
図３は、本実施の形態におけるシステム運営者サーバ３の構成を示すブロック図である。図３に示すように、システム運営者サーバ３は、端末装置２との通信（ｈｔｔｐｓによる暗号化通信）を行うための端末側通信部３１と、提携企業サーバ４との通信（ＶＰＮによる暗号化通信）を行うためのサーバ側通信部３２を備えている。また、システム運営者サーバ３は、提携企業サーバ４から提供されるＷｅｂコンテンツを端末装置２へ提供するコンテンツ提供部３３とを備えている。
【００２７】
端末装置２の利用者は、システム運営者サーバ３が仲介する範囲で、所望するＷｅｂページを閲覧する。具体的には、端末装置２により、システム運営者サーバ３に予め登録された提携企業サイトの中から所望する企業のＷｅｂページが指定され、システム運営者サーバ３が、該当する提携企業サーバ４からＷｅｂページのコンテンツを取得して、端末装置２に送信する。
【００２８】
端末装置２にて提携企業サーバ４により提供されるＷｅｂコンテンツを簡易操作により閲覧可能にするために、端末装置２のタッチパネル２２には、登録された提携企業サーバ４に接続して、提携企業サーバ４からコンテンツを受信するためのリンクバナーを含むＷｅｂ閲覧トップ画面が表示される。このＷｅｂ閲覧トップ画面を表示するためのＷｅｂ閲覧トップ画面情報は、システム運営者サーバ３から提供される。このＷｅｂ閲覧トップ画面は、本発明の接続指示画面に該当し、Ｗｅｂ閲覧トップ画面情報は接続指示画面情報に該当し、Ｗｅｂ閲覧トップ画面に含まれる登録された提携企業サーバ４に接続するためのリンクバナーは、本発明の接続命令に該当する。
【００２９】
システム運営者サーバ３は、端末装置２に接続指示画面情報（Ｗｅｂ閲覧トップ画面情報）を提供するために、接続指示画面情報生成部３４、接続指示画面情報データベース３５、及び接続指示画面情報提供部３６を備えている。
【００３０】
接続指示画面情報生成部３４は、利用者がある提携企業のＷｅｂページについて閲覧登録を行った場合に、当該閲覧登録に係る提携企業サーバ４に接続するためのリンクバナーを含む接続指示画面情報を生成して、接続指示画面情報データベース３５に保存する。接続指示画面情報データベース３５には、端末装置２及びその利用者の識別情報を用いて、端末装置２及びそのユーザごとにその接続指示画面情報を保存している。
【００３１】
接続指示画面情報生成部３４は、あるユーザについてすでに接続指示画面にいくつかの提携企業サーバの閲覧登録がされている場合において新たな閲覧登録を追加するときは、そのユーザの接続指示画面情報を接続指示画面情報データベース３５から読み出して、それに新たなリンクバナーを追加することで、接続指示画面情報を更新して、接続指示画面情報データベース３５に保存する。また、接続指示画面情報生成部３４は、すでにリンクバナーが登録されている接続指示画面（Ｗｅｂ閲覧トップ画面）から登録済のリンクバナーを削除するときは、ユーザによって指定されたリンクバナーを接続指示画面情報から削除して接続指示画面情報を更新し、接続指示画面情報データベース３５に保存する。接続指示画面情報データベース３５には、端末装置２及びユーザの組み合わせごとに、接続指示画面情報が保存されている。
【００３２】
端末装置２は、システム運営者サーバ３から接続指示画面情報を取得するために、当該端末装置２の識別情報と操作しているユーザの識別情報を含む接続指示画面情報要求をシステム運営者サーバ３に送信する。システム運営者サーバ３では、接続指示画面情報提供部３６が、端末装置２からの接続指示画面情報要求に応じて、その端末装置２の識別情報及びそのユーザの識別情報に対応する接続指示画面情報を接続指示画面情報データベース３５から読み出して、端末装置２に提供する。
【００３３】
なお、このとき、提携企業サーバ４からのプッシュ送信がある場合には、端末装置２に提供する接続指示画面情報にその旨の情報を含めてもよい。この場合には、端末装置２の表示部２２１に表示されるＷｅｂ閲覧トップ画面（接続指示画面）において、当該プッシュ送信を行なった企業のリンクバナーにその旨の標識を付し、又はその企業のリンクバナーが点滅するようにして、プッシュ送信があることをユーザに知らせるようにしてよい。
【００３４】
また、システム運営者サーバ３は、通信制御部３７と識別情報記憶部３８を備えている。通信制御部３７は、識別情報生成部３７１とアクセス受付部３７２と認可情報付加部３７３と解除処理部３７４を備えている。さらに、このシステム運営者サーバ３は、利用者によって提携企業サーバ４の閲覧登録が行われた場合に、当該提携企業サーバ４（提携企業）を、当該利用者にコンテンツ提供を行う場としてシステム運営者サーバ３を利用していることについて、システム利用の課金対象として決定するとともに、利用者からの解除要求に応じて閲覧登録を解除して利用者情報を削除した提携企業サーバ４を、課金対象から除外する課金対象決定部３９を備えている。
【００３５】
課金対象となる提携企業の情報は、端末装置２の利用者ごとに課金対象決定部３９の記憶領域に登録され記憶されていてよい。提携企業への課金は、端末装置２にて該当するリンクバナーがタッチされて提携企業サーバ４へのアクセスが行なわれるごとに一定の料金を課すものであってもよいし、リンクバナーが登録されている間、毎月一定額を課金するなど、定期的に定額の料金を課すものであってもよく、又はその他の方法で料金を課すものであってもよい。
【００３６】
識別情報記憶部３８は、端末装置２の利用者を識別するための識別情報を記憶する。端末装置２の利用者の識別情報には、システム運営者サーバ３で端末装置２の利用者を識別するために用いられる識別情報（システム運営者サーバ用の識別情報）と、提携企業サーバ４で端末装置２の利用者を識別するために用いられる識別情報（提携企業サーバ用の識別情報）とが含まれる。識別情報記憶部３８は、各端末装置２の利用者ごとに、この２つの識別情報（システム運営者サーバ用の識別情報と提携企業サーバ用の識別情報）を記憶している。
【００３７】
識別情報生成部３７１は、システム運営者サーバ用の識別情報から提携企業サーバ用の識別情報を生成する。システム運営者サーバ用の識別情報は、端末装置２から送信された識別情報である。
【００３８】
アクセス受付部３７２は、提携企業サーバ４により提供されるＷｅｂコンテンツを閲覧するための端末装置２からのアクセスを受け付けると、この端末装置２の利用者に対応する提携企業サーバ用の識別情報を提携企業サーバ４から取得可能にする。端末装置２の利用者は、端末装置２から受信するシステム運営者サーバ用の識別情報で特定する。
【００３９】
認可情報付加部３７３は、端末装置２からの閲覧登録の要求である登録要求、Ｗｅｂコンテンツの閲覧要求、及び閲覧登録の解除の要求である解除要求を提携企業サーバ４へ中継するときに、提携企業サーバ４からシステム運営者サーバ３へのアクセスを認可する認可情報（認可コード）を、その登録要求又は解除要求に付加する。認可コードは、いわゆるワンタイムパスワードとして端末装置２からの要求の都度、認可情報付加部３７３により生成され、生成から所定時間だけ有効となる。提携企業サーバ４は、この認可コードを用いてシステム運営者サーバ３にアクセスし、要求元の端末装置２の利用者の識別情報（提携企業サーバ用の識別情報）を取得する。
【００４０】
解除処理部３７４は、端末装置２のユーザから解除要求を受けた提携企業サーバ４が当該利用者の閲覧登録を解除し、当該利用者に関する情報（利用者情報）を削除した旨の通知を受けて、解除処理を行う。解除処理部３７４は、解除処理として、接続指示画面情報生成部３４に対して、当該利用者の接続指示画面指示情報から当該提携企業サーバ４のリンクバナーを削除するよう指示し、課金対象決定部３９に対して、当該提携企業サーバ４を課金対象から除外するように指示する。また、解除処理部３７４は、解除処理として、さらに、提携企業サーバ４から当該利用者へのメッセージの受付を停止する処理をする。
【００４１】
図４は、提携企業サーバ４の構成を示すブロック図である。図４に示すように、提携企業サーバ４は、システム運営者サーバ３と通信を行うための通信部４１を備えている。また、提携企業サーバ４は、提携企業サーバ４が提供するＷｅｂコンテンツを記憶しておくコンテンツ記憶部４２と、それらのＷｅｂコンテンツを、システム運営者サーバ３を介して端末装置２へ提供するコンテンツ提供部４３とを備えている。コンテンツ記憶部４２には、Ｗｅｂコンテンツのひとつとして、解除指示画面情報が記憶されている。
【００４２】
また、提携企業サーバ４は、通信制御部４４と管理データベース４５と登録解除部４６を備えている。通信制御部４４は、識別情報取得部４４１と情報入力画面提供部４４２と登録解除通知部４４３を備えている。識別情報取得部４４１は、端末装置２からの登録要求、Ｗｅｂコンテンツの閲覧要求、及び解除要求にシステム運営者サーバ３で付加された認可情報を用いてシステム運営者サーバ３にアクセスし、システム運営者サーバ３から端末装置２の利用者についての識別情報（提携企業サーバ用の識別情報）を取得する。情報入力画面提供部４４２は、端末装置２からの登録要求に応じて、端末装置２の利用者に対して、その利用者に関する情報（利用者情報）の入力を求める情報入力画面を提供する。
【００４３】
管理データベース４５は、システム運営者サーバ３から取得した識別情報（提携企業サーバ用の識別情報）と、情報入力画面（あるいは、提携企業サーバ４が提供する他のＷｅｂコンテンツ）において端末装置２の利用者が入力した利用者情報（住所やクレジットカード番号などの個人情報）とを関連付けて記憶する。
【００４４】
登録解除部４６は、端末装置２からの解除指示画面要求に応じて、コンテンツ提供部４３を制御して、コンテンツ提供部４３は、解除指示画面情報を端末装置２に提供する。登録解除部４６は、端末装置２の利用者からの解除要求に基づいて、管理データベース４５に記憶されたその利用者の利用者情報（住所やクレジットカード番号などの個人情報）を削除して、その利用者の閲覧登録を解除する。登録解除通知部４４３は、登録解除部４６が利用者情報を削除して、その利用者の閲覧登録を解除したときに、システム運営者サーバ３に対して、その旨の通知をする。
【００４５】
ここで、端末装置２の表示部２２１での表示例について説明しておく。図５は、端末装置２の表示部２２１の表示例（表示画面の例）を示す図であり、具体的には、端末装置２を立ち上げたときに最初に表示されるメイン画面の一例が示されている。図５の例では、メイン画面には、警備に関する入力を行うためのアイコンのほかに、モードを切り替えるためのアイコンとして、メニューアイコンとともに、Ｗｅｂ閲覧用アイコンＩ１が含まれている。
【００４６】
端末装置２のユーザ（利用者）が、ＩＣカードを入力部２２２に挿入した後に、端末装置２のタッチパネル２２上でこのアイコンＩ１をタッチすると、システム運営者サーバ３にユーザおよび端末装置２をそれぞれ識別する識別情報が送信され、この応答としてシステム運営者サーバ３からこの識別情報に対応するＷｅｂ閲覧トップ画面情報が送信されて、端末装置２にＷｅｂ閲覧トップ画面が表示される。このために、システム運営者サーバ３は、Ｗｅｂ閲覧トップ画面情報をユーザの識別情報に対応させてユーザ毎に記憶している。なお、このＷｅｂ閲覧トップ画面情報は、端末装置２に記憶されていてもよい。
【００４７】
図６は、Ｗｅｂ閲覧トップ画面の表示例を示す図である。図６に示すように、Ｗｅｂ閲覧トップ画面には、システム運営者の提携企業のうちの、端末装置２のユーザがＷｅｂページの閲覧登録をした企業のリンクバナーが、その企業用のＷｅｂページ表示ボタンとして表示される。このリンクバナーにタッチすることで、該当する企業のＷｅｂページの閲覧要求が、システム運営者サーバ３に送信され、システム運営者サーバ３を介して当該企業のＷｅｂコンテンツが取得されて表示される。図６の例では、Ｗｅｂ閲覧トップ画面には、１つの大きなリンクバナーＢ１と複数の小さなリンクバナーＢ２〜Ｂ４が含まれている。また、Ｗｅｂ閲覧トップ画面には、リンクバナーの登録をするための企業一覧アイコンＩ２が含まれている。企業一覧アイコンＩ２をタッチすると、提携企業の一覧が表示される。
【００４８】
一覧表示された提携企業の中から所望の企業を選択することにより、システム運営者サーバ３にプレビュー要求が送信され、その企業のプレビュー表示用のＷｅｂページが表示され、プレビュー表示として一定の制限の下でＷｅｂページを閲覧することができる。そして、所望する企業のＷｅｂページに対して登録操作をすることで、システム運営者サーバ３が記憶するＷｅｂ閲覧トップ画面に該当企業のリンクバナーが登録され、閲覧登録が行われる。なお、登録した企業のリンクバナーが複数頁にわたってもよく、その場合には頁送りアイコンＩ３によって、表示する頁を前後させることができる。
【００４９】
このように、Ｗｅｂページの閲覧登録をしておくことで、ユーザは簡易な操作で多くの提携企業の中から所望の企業のＷｅｂページを呼び出してＷｅｂコンテンツを参照することができる。本実施の形態では、この閲覧登録をするときに、あわせて端末装置２の識別情報と利用者情報を、閲覧登録する提携企業サーバ４に送信して、以後Ｗｅｂページにアクセスするときに、利用者ごとに最適なコンテンツが表示されるようにする。
【００５０】
また、Ｗｅｂ閲覧トップ画面から企業のＷｅｂページにアクセスすると、そこには、リンクバナーの登録を解除するための登録解除ボタンが含まれている。端末装置２のユーザ（利用者）が、端末装置２のタッチパネル２２上で登録解除ボタンにタッチすると、端末装置２に解除指示画面が表示される。図７は、解除指示画面の表示例を示す図である。図７に示すように、解除指示画面には、閲覧登録を解除するか否かのユーザの意思を入力するための解除決定ボタン及びキャンセルボタンが表示される。
【００５１】
以下、本実施の形態の閲覧登録システム１における閲覧登録処理の流れを、図８のシーケンス図を参照しながら説明する。
【００５２】
図８に示すように、端末装置２において利用者が閲覧登録を希望する企業のＷｅｂページの登録ボタンにタッチすると（ステップＳ８０１）、登録ページへのアクセス要求（登録要求）が、端末装置２からシステム運営者サーバ３へ送信される（ステップＳ８０２）。システム運営者サーバ３は、端末装置２からの登録要求に認可情報（認可コード）を付加して（ステップＳ８０３）、提携企業サーバ４へ送信する（ステップＳ８０４）。
【００５３】
提携企業サーバ４は、システム運営者サーバ３から受け取った認可情報を用いて、システム運営者サーバ３へアクセストークンを要求する（ステップＳ８０５）。このアクセストークンの要求には、認可情報と、予めシステム運営者サーバ３に登録されている提携企業のＩＤとパスワードが付けられる。システム運営者サーバ３は、提携企業サーバ４から送信された認可情報とＩＤとパスワードを用いて提携企業の認証を行い、認証された提携企業にアクセストークンを通知する（ステップＳ８０６）。アクセストークンは、利用者の識別情報に対応して発行され、後述するシステム運営者サーバ３の各種ＡＰＩの呼び出しに利用される。なお、認可情報は、生成から所定時間が経過した時点、又は、アクセストークンを通知した時点の何れか早い時点で無効とされる。
【００５４】
提携企業サーバ４が、アクセストークンを用いて識別情報取得ＡＰＩを呼び出すと（ステップＳ８０７）、システム運営者サーバ３から、アクセス元となる利用者の識別情報（提携企業サーバ用の識別情報）が送信される（ステップＳ８０８）。提携企業サーバ４は、システム運営者サーバ３から受け取った識別情報とアクセストークンを管理データベース４５に記憶する（ステップＳ８０９）。
【００５５】
続いて、提携企業サーバ４は、その識別情報により特定される利用者に対して登録ページとして利用者情報の入力を求める情報入力画面を作成し（ステップＳ８１０）、その情報入力画面を、システム運営者サーバ３を介して端末装置２に提供する（ステップＳ８１１、ステップＳ８１２）。
【００５６】
端末装置２の利用者が、その情報入力画面上で利用者情報の入力を行うと（ステップＳ８１３）、その利用者情報が、システム運営者サーバ３を介して提携企業サーバ４へ送信される（ステップＳ８１４、ステップＳ８１５）。提携企業サーバ４は、端末装置２から受け取った利用者情報を既に記憶した識別情報に対応付けて管理データベース４５に記憶する（ステップＳ８１６）。
【００５７】
提携企業サーバ４が利用者情報を管理データベース４５に記憶すると、提携企業サーバ４は、その旨をシステム運営者サーバ３に通知する（ステップＳ８１７）。システム運営者サーバ３がこの通知を受けると、接続画面情報生成部３４は、その利用者の接続指示画面情報を接続指示画面情報データベース３５から読み出して、その接続指示画面情報にその提携企業サーバ４に接続するためのリンクバナーを含めて接続指示画面情報を更新して、それを再び接続指示画面情報データベース３５に保存する（ステップＳ８１８）。このときの接続指示画面情報生成部３４は、本発明の接続命令追加手段に該当する。
【００５８】
また、システム運営者サーバ３の課金対象決定部３９は、提携企業サーバ４からの通知を受けて、提携企業サーバ４について課金対象として登録し、課金を開始する（ステップＳ８１９）。このときの課金対象決定部３９は、本発明の課金手段に該当する。
【００５９】
接続指示画面情報提供部３６は、接続指示画面情報の更新の報告として、更新された接続指示画面情報を接続指示画面情報データベース３５から読み出して、端末装置２に提供する（ステップＳ８２０）。端末装置２において、この接続指示画面情報に基づいて更新された接続指示画面を表示することで、閲覧登録が完了したことを確認できる。
【００６０】
次に、本実施の形態の閲覧登録システム１における登録解除処理の流れを、図９のシーケンス図を参照しながら説明する。
【００６１】
図９に示すように、端末装置２の利用者がＷｅｂ閲覧トップ画面（接続指示画面）においてリンクバナーにタッチして（ステップＳ９０１）、企業のＷｅｂページにアクセスすると（ステップＳ９０２、ステップＳ９０３）、このとき、提携企業サーバ４は、上述のステップＳ８０３〜Ｓ８０８と同様にアクセス元となる端末装置２の利用者の識別情報を取得して、その識別情報をセッション情報に保存する（ステップＳ９０４）。これは、その後のアクセスにおいて、ユーザを判別するためである。提携企業サーバ４は、システム運営者サーバ３を介してそのＷｅｂページを端末装置２に提供する（ステップＳ９０５、ステップＳ９０６）。上述のように、このＷｅｂページには、登録解除ボタンが含まれている。
【００６２】
端末装置２の利用者が登録解除ボタンにタッチすると（ステップＳ９０７）、解除指示画面情報を要求する解除指示画面要求がシステム運営者サーバ３を介して提携企業サーバ４に送信される（ステップＳ９０８、ステップＳ９０９）。提携企業サーバ４は、これに応じて、システム運営者サーバ３を介して解除指示画面情報を端末装置２に提供し（ステップＳ９１０、ステップＳ９１１）、端末装置２は解除指示画面を表示する。
【００６３】
端末装置２の利用者が解除指示画面の解除決定ボタンにタッチすると（ステップＳ９１２）、閲覧登録の解除を要求する解除要求が、端末装置２からシステム運営者サーバ３を介して提携企業サーバ４へ送信される（ステップＳ９１３、ステップＳ９１４）。提携企業サーバ４は、セッション情報からこの端末装置２の利用者の識別情報を取得し（ステップＳ９１５）、管理データベース４５に記憶された当該識別情報に関連付けられた利用者情報を削除することで、当該利用者の閲覧登録を解除する（ステップＳ９１６）。
【００６４】
提携企業サーバ４が、アクセストークンを用いて登録解除ＡＰＩを呼び出すと（ステップＳ９１７）、システム運営者サーバ３において、登録解除処理が行われる（ステップＳ９１８）。具体的には、接続指示画面情報生成部３４がその利用者の接続指示画面情報からその提携企業サーバ４に接続するためのリンクバナーを削除し、課金対象決定部３９がその提携企業サーバ４を当該利用者についての課金対象の登録から除外する。さらに、解除処理部３７４は、アクセストークンを無効にする。このときの接続指示画面情報生成部３４は、本発明の接続命令削除手段に相当し、このときの課金対象決定部３９は、本発明の課金停止手段に相当する。
【００６５】
削除処理が終了すると、システム運営者サーバ３は、提携企業サーバ４にＡＰＩ実行結果を通知し（ステップＳ９１９）、提携企業サーバ４は、システム運営者サーバ３を介して端末装置２に登録解除が完了したことを通知するＷｅｂページを提供する（ステップＳ９２０、ステップＳ９２１）。
【００６６】
このような本発明の実施の形態の閲覧登録システム１によれば、閲覧登録を受けて利用者情報を取得している提携企業サーバ４は、課金されるとともに、解除要求を受けたときに、利用者情報を削除することによって課金が停止されるので、利用者情報の削除を促すことができる。即ち、利用者情報を削除しない限り、その提携企業サーバ４は、その利用者についての課金の対象であり続け、継続して課金されることになる。
【００６７】
また、端末装置２において提携企業サーバ４により提供されるコンテンツの簡易操作による閲覧は、提携企業サーバ４に接続するためのリンクバナーを含む接続指示画面情報によって実現され、端末装置２から解除要求をした場合には、提携企業サーバ４がその端末装置２の利用者情報を削除したときに、接続指示画面情報からその提携企業サーバ４に接続するためのリンクバナーが削除されるので、端末装置２では、解除要求に応じて提携企業サーバ４が閲覧登録の解除及び利用者情報の削除をしたか否かを確認することができる。提携企業サーバ４において端末装置２からの解除要求に応じて利用者情報の削除が行われない場合には、端末装置２に提供される接続指示画面情報において当該提携企業サーバ４へのリンクバナーが削除されないので、端末装置２において、提携企業サーバ４にて自己の利用者情報が削除されていないことを知ることができ、これによって、提携企業サーバ４において利用者情報の削除を促すことができる。
【００６８】
また、端末装置２と提携企業サーバ４との間にシステム運営者サーバ３が介在しているため、システム運営者サーバ３は、予め正当性を確認した信頼性の高い提携企業サーバ４のコンテンツ（安全なコンテンツ）のみを、端末装置２の利用者に閲覧可能にすることができる。また、端末装置２と提携企業サーバ４との間にシステム運営者サーバ３が介在しているため、システム運営者サーバ３は、提携企業サーバ４から直接端末装置２の情報（例えばＩＰアドレスなどの情報）を取得できないようにすることも可能である。これにより、端末装置２の利用者が保護される。
【００６９】
また、端末装置２と提携企業サーバ４との間にシステム運営者サーバ３が介在しているため、利用者のプライバシに関るような利用者情報（住所やクレジットカード番号などの個人情報）については、提携企業サーバ４と端末装置２との間で情報入力画面を用いて直接的にやりとりをしてもらうようにすることが可能である。すなわち、システム運営者サーバ３は、利用者情報を単に中継するだけにして、利用者情報を取り扱うリスクを負わないようにすることが可能である。これにより、システム運営者サーバ３を管理運営する者（システム運営者）が保護される。
【００７０】
さらに、端末装置２と提携企業サーバ４との間にシステム運営者サーバ３が介在しているため、システム運営者サーバ３は、顧客となり得る可能性（顧客性）の高い端末装置２の利用者からの閲覧要求のみを、提携企業サーバ４に送るようにすることができる。すなわち、提携企業サーバ４は、顧客となり得る可能性（顧客性）の高い端末装置２の利用者からの閲覧要求のみを受けることができ、端末装置２の利用者からの閲覧登録の可否を効率よく判定することができる。
【００７１】
また、本実施の形態では、端末装置２からのアクセスの要求がシステム運営者サーバ３で中継されるときに、この要求に認可情報が付加されて提携企業サーバ４へ送られる。提携企業サーバ４は、その認可情報を用いてシステム運営者サーバ３へアクセスし、端末装置２の利用者の識別情報を取得する。そして、この識別情報に基づいて特定された端末装置２の利用者に対して、情報入力画面が適切に提供される。このように、提携企業サーバ４が認可情報を用いて識別情報を取得することにより、不正なサーバによる提携企業サーバ４への「なりすまし」を防止することができる。
【００７２】
また、本実施の形態では、システム運営者サーバ３では、端末装置２の利用者を識別するために「システム運営者サーバ用の識別情報」が用いられ、提携企業サーバ４では、端末装置２の利用者を識別するために「提携企業サーバ用の識別情報」が用いられる。このように、２つの識別情報を使い分けることにより、提携企業サーバ４から端末装置２の情報（例えばＩＰアドレスや汎用形式のユーザＩＤなどの情報）を取得できないようにするとともに、異なる独自情報により提携企業サーバ４から端末装置２を特定できるようにすることが可能である。
【００７３】
また、本実施の形態では、システム運営者サーバ３は、提携企業サーバ４が閲覧登録を行なって、その旨をシステム運営者サーバ３に通知したときに、その提携企業サーバ４を課金対象として決定する。これにより、システム運営者サーバ３の管理運営をする者は、提携企業サーバ４がコンテンツ提供に際して本システム１を利用する場合に、課金による収益を上げることができる。そして、端末装置２の利用者に対しては課金しないようにすることができ、端末装置２の利用者の負担をなくすことが可能である。
【００７４】
以上、本発明の実施の形態を例示により説明したが、本発明の範囲はこれらに限定されるものではなく、請求項に記載された範囲内において目的に応じて変更・変形することが可能である。
【産業上の利用可能性】
【００７５】
以上のように、本発明にかかる閲覧登録システムは、閲覧登録を受けて利用者情報を取得しているコンテンツ提供サーバは、課金されるとともに、解除要求を受けたときに、利用者情報を削除することによって課金が停止されるので、利用者情報の削除を促すことができるという効果を有し、端末装置にてコンテンツ提供サーバが提供するコンテンツを閲覧するための閲覧登録システム等として有用である。
【符号の説明】
【００７６】
１  閲覧登録システム
２  端末装置
２１  通信部
２２  タッチパネル
２２１  表示部
２２２  入力部
２３  通信制御部
２３１  登録要求送信部
２３２  識別情報送信部
２３３  利用者情報送信部
２３４  解除要求送信部
３  システム運営者サーバ
３１  端末側通信部
３２  サーバ側通信部
３３  コンテンツ提供部
３４  接続指示画面情報生成部
３５  接続指示画面情報データベース
３６  接続指示画面情報提供部
３７  通信制御部
３７１  識別情報生成部
３７２  アクセス受付部
３７３  認可情報付加部
３７４  解除処理部
３８  識別情報記憶部
３９  課金対象決定部
４  提携企業サーバ
４１  通信部
４２  コンテンツ記憶部
４３  コンテンツ提供部
４４  通信制御部
４４１  識別情報取得部
４４２  情報入力画面提供部
４４３  判定結果通知部
４５  管理データベース
４６  登録解除部
５  第１のセキュア通信ネットワーク
６  第２のセキュア通信ネットワーク
【図１】
0005937362.tif 000002
【図２】
0005937362.tif 000003
【図３】
0005937362.tif 000004
【図４】
0005937362.tif 000005
【図５】
0005937362.tif 000006
【図６】
0005937362.tif 000007
【図７】
0005937362.tif 000008
【図８】
0005937362.tif 000009
【図９】
0005937362.tif 000010